(57)【特許請求の範囲】
【請求項１】
ＤＶＤビデオの再生信号からメニュー画面を検出するメニュー画面検出部と、前記メニュー画面検出部で検出したメニュー画面に表示される複数の項目をランダムに選択するランダム選択部と、前記ランダム選択部で選択した項目に対応するデータを再生する再生処理部とを備え、
前記項目はデータの存在する位置を示すリンク先としてのタイトルまたはチャプターであり、
前記リンク先のタイトルまたはチャプターが連番ではないときには、リンク先に指定されていない番号のタイトルまたはチャプターはその前のリンク先に指定されている番号のタイトルまたはチャプターと１群をなすものとして取り扱うことを特徴とするＤＶＤビデオ再生装置。
【請求項２】
前記メニュー検出部で検出した画面を表示することを特徴とする請求項１記載のＤＶＤビデオ再生装置。
【発明の詳細な説明】
【０００１】
【発明の属する技術分野】
本発明は、ＤＶＤビデオを再生するＤＶＤビデオ再生装置に関し、特に多数の独立した映像が記録されているＤＶＤビデオディスクをランダムに再生する手段を備えたＤＶＤビデオ再生装置に関する。
【０００２】
【従来の技術】
近年、大量の映像やオーディオを記録することができるＤＶＤディスクが安価に且つ多種類販売され、これを再生するＤＶＤビデオ再生装置も安価になり、市販のＤＶＤディスクを購入して再生することが広く普及している。更に近年はＤＶＤ−Ｒ、ＤＶＤ−ＲＷ、ＤＶＤ−ＲＡＭも使用されるようになり、各家庭で種々の映像を記録してこれを編集し視聴することも行われるようになっており、ＤＶＤビデオは更に多様な形で広く利用されるようになっている。また、ＤＶＤビデオディスクには高性能のオーディオデータも記録されているため、各種演奏をグラフィックともに記録し、オーディオを主体にして映像も楽しめるようにしたものも多くなっている。
【０００３】
一方、従来から広く利用されるディスクであるＣＤにおいては、一般的にランダム再生と呼ばれる機能が存在し、トラック再生終了時にプレーヤが次のトラックをランダムに選択して再生することができるようになっており、いつも同じ順序で再生することが好まれないときにこのランダム再生機能を用いてＣＤに記録した曲を聴くことがある。
【０００４】
それと同様にＤＶＤビデオにおいても、例えば特定のアーティストの演奏が多数記録されているＤＶＤディスクを再生するときのように、オーディオを主体にしたＤＶＤディスクの再生に際しては、前記のＣＤのときのようにいつも同じ順序で再生されることが好まれないことがあり、その際にはＣＤと同様にランダム再生を希望することがある。このことは特に車両に搭載したＤＶＤビデオ再生装置の使用に際して、ＤＶＤビデオに記録された各種演奏をドライブしながらオーディオを主体に視聴しようとするとき、従来のＣＤのランダム再生と同様にＤＶＤビデオのランダム再生を希望することが多くなる。
【０００５】
【発明が解決しようとする課題】
しかしながら、上記ＣＤの場合は１曲を１トラックとして共通に決められているのに対して、ＤＶＤビデオでは１曲を１タイトルと１チャプターのどちらにするかはディスク制作者側の自由となっている。そのため、ランダム再生を行う場合には、タイトルとチャプタのどちらを基準にして行うかが問題となり、結局、再生装置においてタイトルとチャプタの両方のいずれでも選択して再生することができるようにしておき、ランダム再生に際しては自動的にいずれかを選択して再生する仕組みを再生装置に備える必要がある。
【０００６】
更に、ＤＶＤビデオでは、規格上でユーザ操作を制限することが可能となっており、したがってＤＶＤビデオに記録されている再生制御信号の中に、サーチ操作を禁止する信号を入れている場合もある。この場合、利用者がこのＤＶＤビデオを再生する際に、意図的にサーチ操作を行おうとしてもできないことは当然として、ＤＶＤディスク再生装置が予め決められた作動として自動的にサーチ操作を行うように設定されているときでも、この機能は作動しないこととなる。この場合、上記のようなタイトルまたはチャプタを自動で直接選択して再生する仕組みのランダム再生機能では、その実行が不可能となってしまうという問題があった。
【０００７】
したがって、本発明は、ＤＶＤビデオディスクにおいてサーチ禁止の設定がなされているときでも、ランダム再生を行うことができるようにし、またＤＶＤビデオディスクに記録されている映像やオーディオのデータがディスクにタイトルかあるいはチャプタの形式で記録されている場合のいずれにおいても容易にランダム再生を行うことができるようにしたＤＶＤビデオ再生装置を提供することを主たる目的としている。
【０００８】
【課題を解決するための手段】
本発明に係るＤＶＤビデオ再生装置は、上記課題を解決するため、ＤＶＤビデオの再生信号からメニュー画面を検出するメニュー画面検出部と、前記メニュー画面検出部で検出したメニュー画面に表示される複数の項目をランダムに選択するランダム選択部と、前記ランダム選択部で選択した項目に対応するデータを再生する再生処理部とを備え、前記項目はデータの存在する位置を示すリンク先としてのタイトルまたはチャプターであり、前記リンク先のタイトルまたはチャプターが連番ではないときには、リンク先に指定されていない番号のタイトルまたはチャプターはその前のリンク先に指定されている番号のタイトルまたはチャプターと１群をなすものとして取り扱うことを特徴とする。
【０００９】
また、本発明に係る他のＤＶＤビデオ再生装置は、前記ＤＶＤビデオ再生装置において、前記メニュー検出部で検出した画面を表示するようにしたことを特徴とする。
【００１３】
【発明の実施の形態】
本発明の実施の形態を図面に沿って説明する。図１は本発明によるＤＶＤビデオ再生装置において、主としてランダム再生を行う機能部分を示した機能ブロック図である。図１に示すＤＶＤビデオ再生装置において、ＤＶＤビデオディスク１は、スピンドルモータ２により回転するテーブルに固定され、所定の速度で回転制御されている。このディスク１に対して、図中ディスク１の下面に形成した記録層に対向して光学ピックアップ３を配置しており、光学ピックアップ３から対物レンズを通して所定位置に焦点を結ぶ半導体レーザ光を照射し、ディスクから反射してくるレーザ光を再び対物レンズを通してフォトダイオードで受光し、それによりディスクに記録されたＲＦ信号を再生し、この信号をＲＦアンプ４において増幅し、ＤＶＤ再生信号処理部５に出力している。
【００１４】
ＤＶＤ再生信号処理部５においては、前記ＲＦアンプ４の信号がＤＶＤデータプロセッサ６に入力され、このＤＶＤデータプロセッサ６ではＭＰＥＧデータ等を復調するとともに、誤り訂正処理、ＭＰＥＧビデオデータとオーディオデータとの分離処理、及び各種管理情報、アドレス情報の抽出処理等のディジタル信号処理を行う。ＭＰＥＧビデオデコーダ７は、ＤＶＤデータプロセッサ６で分離されたＭＰＥＧビデオデータに基づいてＭＰＥＧ２の画像データを復号化する。なお、前記のような各処理部は、システム制御部６の信号によって互いに関連づけられて処理されており、後述する各機能部も全てシステム制御部の信号によって処理される。
【００１５】
復号化された映像データは、ディジタル−アナログ変換器８に入力され、輝度信号Ｙおよび色差信号Ｃｂ、Ｃｒが作られ映像信号として出力する。オーディオデコーダ９は、ＤＶＤプロセッサ６で分離されたＭＰＥＧ等のオーディオデータに基づいて音楽データを復号化する。この復号化された音楽データは、ディジタル−アナログ（Ｄ／Ａ）変換器１０を通すことによって、アナログの音楽信号に変換される。
【００１６】
上記ＤＶＤプロセッサ６からシステム制御部１２に出力される各種管理情報の中から、ランダム再生部２０における通常ランダム再生可否判別部１３が、現在再生しようとしているＤＶＤビデオディスク１が通常のランダム再生が禁止されているディスクであるか否かを判別するための情報を取り込み、その判別を行う。この判別に際しては、例えば現在再生しようとしているＤＶＤビデオディスク１の管理情報のデータの中に、サーチ禁止のデータが予め記録されているときには、そのＤＶＤビデオディスクはランダム再生を行うことができないディスクであると判別する。
【００１７】
即ち、ランダム再生の作動においては、利用者がランダム再生の指示を行ったとき、プレーヤの再生指示部において再生する部分をランダムに指定し、次いでその指定した部分をサーチし、これを再生する作動が順に行われる。それに対して上記のようにサーチが禁止されていると、プレーヤの再生指示部で指示した部分の再生を行うことができなくなるため、ランダム再生を行うことができないこととなる。
【００１８】
メニュー画面検出部１４では、前記通常ランダム再生可否判別部１３で通常の手段ではランダム再生を行うことができないディスクが再生されようとしていると判別したとき、その信号を受け、ＤＶＤデータプロセッサ６で処理されたデータの中からメニュー画面を検索する。この検索に際しては、例えば特定の画面において、他の画面に対して多数リンクしているデータが存在するときには、この部分をメニュー画面と判別することができる。このような検索は、従来のＤＶＤビデオプレーヤにおいてメニュー画面の検索表示機能を備えているものあり、したがって従来から用いられている種々のこのようなメニュー画面選択手段をここにおいても採用することができる。
【００１９】
メニューリンク先種別判別部１５においては、前記メニュー画面検出部１４でメニュー画面が存在するか否かを検索し、メニュー画面を見つけたときには、そのメニュー画面においてリンク先としている部分は「タイトル」であるか「チャプター」であるかを判別する。前記のようにＤＶＤビデオディスクにおいては、その中に映像やオーディオを収録する際、例えば図４（ａ）に示すようにタイトルによって分割するか、あるいは同図（ｂ）に示すようにチャプターによって分割するかは自由に決めることができるようになっており、この判別部においては、現在再生しようとしているＤＶＤビデオディスクがいずれの方法で記録しているのかを判別し、以降の再生指示の基準データとする。なお、ＤＶＤビデオディスクにおいては、タイトルによって分割する際は９９個まで分割することができ、チャプターによって分割するときは９９９個に分割することができるので、記録するデータ内容によってこれらが使い分けられている。
【００２０】
ＤＶＤビデオディスクの中には、多数のメニュー画面を選択するためのメニュー画面を備えたものもあり、そのディスクにおいては、第１階層のメニュー画面で選択した第２階層のメニュー画面において、再生すべき部分を指示する項目を示すように構成している。また、ランダム再生部２０においては下位階層メニューランダム選択部１６を備えており、多数存在する第２階層のメニュー画面についてもランダムに選択して再生することができるようにしている。
【００２１】
タイトル群・チャプター群作成部１７においては、メニュー画面の各項目において、リンク先が、例えばタイトル１、３、５、・・・のように順につながっていないとき、後述するランダム再生においてこれらのタイトルの番号をランダムに指定したときには、例えばタイトル１のみが再生され、タイトル２は再生されないこととなる。しかしながら例えば上記のようにタイトル１がリンク先になっているときは、最初のタイトル部分がリンク先として示すことになっているときには、本来はタイトル１とタイトル２が一体化したデータである。なお、このようにリンク先のタイトルが順につながっているかいないかは、前記メニューリンク先種別判別部１５において、リンク先がタイトルかチャプターのいずれであるかを判別する際に、そのリンク先が順につながったデータであるか否かを判別することによって判別し作動させることもできる。
【００２２】
リンク先の番号がつながっていないことによる上記のような不都合を解決するため、この実施例においては、上記のような場合にはタイトル１、２が１つのタイトル群として存在し、同様にタイトル３、４、が１つのタイトル群となっており、タイトル５、・・・が同様に１つのタイトル群となっているものとし、メニュー画面のリンク先によってこのようなタイトル群のデータを作成する。同様にこのディスクがチャプターによって分割されていると前記メニューリンク先種別判別部１５で判別したときには、ここでは前記と同様にしてチャプター群を作成する。
【００２３】
また、ランダム再生部２０におけるタイトル・タイトル群、チャプター・チャプター群ランダム選択部１８では、例えばこのディスクのメニュー画面においてリンク先が連続番号のタイトルであるとき、その番号をランダムに選択し、連続番号でないときには前記のようにして作成されたタイトル群をランダムに選択する。このディスクが前記メニューリンク先種別判別部１５でチャプターに分割されていると判別されたときには、前記タイトルに分割されているときと同様のランダム選択を行う。
【００２４】
タイトル・タイトル群、チャプター・チャプター群再生終了判別部１９では、前記ランダム選択部１８において選択したタイトル、タイトル群、チャプター、チャプター群について、そこに含まれるデータが全て再生したか否かを判別する。この判別によってランダム選択部１８は次の部分の選択を行い、あるいは前記のようにメニューが階層になっているときに、下位の階層の全ての部分を再生したと判別したとき、下位階層メニューランダム選択部１６において、次のメニューを選択する作動を行うこととなる。
【００２５】
上記のように構成される実施例のＤＶＤビデオ再生装置においては、例えば図２に示すランダム再生処理の作動フロー、及び図３に示すような図２の作動フローにおける再生処理部分のより詳細な作動フローに従って、順に作動させることができる。以下、これらの作動フローを前記図１の機能ブロック図、及び図４〜図６を参照しつつ説明する。
【００２６】
図２におけるランダム再生処理に際して、最初に、ＤＶＤビデオ再生装置にかけられたＤＶＤビデオディスクが、通常の手段でランダム再生を行うことができるディスクであるか否かを判別する。この判別は図１の通常ランダム再生可否判別部１３によって、前記のようにディスクから読み込んだ管理情報のデータの中に、サーチ禁止のデータが予め記録されているか否かによって判別することができる。
【００２７】
ここで、通常のランダム再生が可能なディスクであると判別されたときには、ステップＳ８において通常のランダム再生処理を行い、この作動フローは終了する（ステップＳ９）。本発明においては通常のランダム再生を行うことができないディスクをランダム再生するためのものであるので、このようなディスクの再生時には前記ステップＳ１において通常のランダム再生が可能ではないと判別される。
【００２８】
次いでメニュー画面は存在するか否かを判別する（ステップＳ２）。この判別に際しては、特定の画面のデータの中にリンク先が複数存在するものがあるか否かによって判別することができ、これは図１のメニュー画面検出部１４において行われる。本発明においては、メニュー画面においてリンク先を示す複数のデータが存在するとき、これを用いてランダム再生を行うものであるので、ここでメニュー画面が存在しないと判別されたときにはこの作動フローを終了する（ステップＳ９）。
【００２９】
ここでメニュー画面が存在すると判別されたときには、そのメニュー画面が多階層のメニュー画面であるか否かを判別する（ステップＳ３）。この判別に際しては、前記のようにして検索されたメニュー画面において、リンク先として示されている画面のデータ中に更に複数のリンク先が存在するときには、多階層のメニュー画面が存在するとして判別する。
【００３０】
上記のようなメニュー画面の構成は、例えば図５に示されるように、再生しようとしているＤＶＤビデオディスクが、アーティストＡのアルバムであり、このディスクの中には曲名ａ、ｂ、ｃ、ｄ・・・・のような構成でデータが存在することが示されている場合には、これは単階層のメニューということができる。それに対して、例えば図６に示すように、このディスクが「Ｊ−ＰＯＰＳ集」として多数のアーティストの多数の曲を収録したものであり、その結果第１階層のメニューとしてアーティスト毎のメニュー画面が存在し、ここには各アーティストのメニュー画面が存在するタイトルやチャプターがリンク先として記録されている。また、例えばここでアーティストＡを選択したときには、第２階層メニュー１としての同図の「アーティストＡアルバム」のメニュー画面が表示され、ここで表示される曲名ａ、ｂ、ｃ、ｄのいずれかを選択することによりその曲を選択して再生することができる。同様に第２階層メニュー２としての「アーティストＢアルバム」・・・等も任意に選択して再生できるようになっている。
【００３１】
前記ステップＳ３においてそのメニューが多階層のメニュー画面であると判別されたときには、第２階層のメニュー画面の中からランダムでメニュー画面を選択する（ステップＳ４）。なお、ここでは多階層のメニュー画面の例として第２階層まで存在するメニューとして述べているが、更に例えば第３階層・・・と存在するときには、以下に述べる第２階層までのものと同様にして作動させることができる。また、この実施例においては第２階層のメニューをランダムに選択する例を示しているが、この部分についてはメニュー１から順に再生するように設定しても良い。
【００３２】
上記ステップＳ４において、第２階層のメニュー画面の中からランダムでメニュー画面を選択したときには、次いで選択したメニュー画面の中から各項目をランダムに選択して再生を行う（ステップＳ５）。その結果、前記図６の例において、例えば「アーティストＢアルバム」が選択されたときには、そこに存在する曲名ｍ、ｎ、ｏ、ｐ・・・の曲がランダムに再生される。この再生処理は図３に更に詳細に示しており、後に述べる。
【００３３】
その後選択された第２階層のメニュー画面により全項目のランダム再生が終了したときには、全ての第２階層のメニューを選択したか否かを判別し（ステップＳ６）、未だ第２階層のメニューの中で選択していないメニューが存在すると判別したときには再びステップＳ４に戻り、前記と同様に第２階層のメニュー画面の中からランダムでメニューを選択する作動を行い、以下同様の作動を繰り返す。前記ステップＳ６において全ての第２階層のメニューを選択したと判別したときには、このランダム再生処理を終了する。なお、利用者からの指示のない限り上記ランダム再生処理を継続させることもできる。
【００３４】
前記ステップＳ３において、検索したメニュー画面が多階層のメニュー画面ではないと判別されたときには、前記ステップＳ５のランダム再生処理と同様の処理によって、メニュー画面の中からランダムに選択し再生処理を行う（ステップＳ７）。この再生処理も図３に詳細に示している。
【００３５】
前記図２のステップＳ４、及びステップＳ７における特定のメニュー画面中でのランダム再生処理に際しては、特にリンク先のタイトルまたはチャプターの番号が前記のように飛んでおり、これらを一群のものとして扱う必要があるときの処理のために、図３に示すような再生処理を行う。
【００３６】
最初、メニューからのリンク先は「タイトル」であるか「チャプター」であるかを判別する（ステップＳ１１）。これは前記のようにＤＶＤビデオディスクの記録に際していずれを選択しても良いこととなっており、したがって再生されるディスクに記録されたリンクデータを探す際に、いずれを探せばよいのか予め明らかにしておく必要があるからである。この作動は図１のメニューリンク先種別判別部１５において行い、このデータはランダム再生部２０における各種機能部で使用される。
【００３７】
次いでリンク先のタイトルまたはチャプターは連番であるか否かを判別する（ステップＳ１２）。ここで連番ではないと判別されたときには、空き番号部分はその部分の前の番号に連続している１群のものとして、タイトル群、チャプター群のデータを作成する。これは図１のタイトル群、チャプター群作成部１７において行っている。それにより例えば図４に示すように、リンク先としてタイトル１、タイトル３、タイトル５が記録されているとき、タイトル１とタイトル２をタイトル群１とし、タイトル３とタイトル４とをタイトル群２、タイトル５とタイトル６をタイトル群３・・・・とする。なお、このようなタイトル群は実際のデータとして作成する必要はなく、このような群が存在するものとして、ランダム再生時にタイトル３を選択したときにはタイトル４も連続して再生するように設定すればよい。図４に示すようにチャプターについても同様である。
【００３８】
次いで各群のタイトルまたはチャプターをランダムに再生する（ステップＳ１４）。その後選択した一群のタイトルまたはチャプターは全て再生したか否かを判別し（ステップＳ１５）、例えば前記タイトル群１においてタイトル１の他にタイトル２も再生したか否かを判別する。また、上記のように連番ではないリンク先の中に連番のものも存在するときには、ここでは単一のタイトルまたはチャプターに存在する全てのデータが再生されたか否かの判別を行う。
【００３９】
ステップＳ１５において選択した一群のタイトルまたはチャプターが全て再生されたと判別したときには、次いで全ての群のタイトルまたはチャプターを再生したか否かを判別する（ステップＳ１６）。ここで未だ再生していないタイトル群またはチャプター群が存在すると判別したときには、再びステップＳ１４に戻り各群のタイトルまたはチャプターをランダムに再生する作動を行い、以下前記と同様の作動を繰り返す。
【００４０】
ステップＳ１６において全ての群のタイトルまたはチャプターを再生したと判別したときには、この作動を終了する（ステップＳ２０）。この終了の結果、前記図２の作動フローにおける、ステップＳ５の次のステップＳ６に、あるいはステップＳ７の次のステップＳ９に進むこととなる。
【００４１】
なお、上記実施例においては、メニュー画面を利用したランダム再生を、利用者に上記のような作動を行っていることを格別意識させることなく、自動的に実行する例を示したが、上記のような作動の過程で選択されるメニュー画面を表示し、これから再生される曲がどのような曲であるか等、再生する内容がどのようなものかを表示するようにしても良い。また、このような再生方法は、メニュー画面のデータを用いて処理を行うため、例えばサーチ操作を禁止しているディスクの場合でも、禁止しているようなサーチ操作を直接行うものではないので、ディスク作成者の意図を阻害するものではない。
【００４２】
【発明の効果】
本発明に係るＤＶＤビデオ再生装置は、ＤＶＤビデオの再生信号からメニュー画面を検出するメニュー画面検出部と、前記メニュー画面検出部で検出したメニュー画面に表示される複数の項目をランダムに選択するランダム選択部と、前記ランダム選択部で選択した項目に対応するデータを再生する再生処理部とを備えたので、そのＤＶＤビデオディスクにおいてサーチ禁止の設定がなされているときでも、簡単な手段により容易に、従来のＣＤと同様にランダム再生を行うことができる。
また、前記項目をデータの存在する位置を示すリンク先を示すものとしたので、リンク先を示すデータによってメニュー画面を検出することができ、またリンク先に進むことで指定した部分の再生を確実に行うことができる。
また、本発明に係る他のＤＶＤビデオ再生装置は、前記リンク先をタイトルまたはチャプターとしたので、ＤＶＤビデオディスクに記録されている映像やオーディオのデータがディスクにタイトルかあるいはチャプタの形式で記録されている場合のいずれにおいても、最初にこれを識別することにより以降の処理を確実に行うことができ、したがって全てのＤＶＤビデオディスクのランダム再生処理を容易に行うことができる。
また、本発明に係る他のＤＶＤビデオ再生装置は、前記リンク先のタイトルまたはチャプターが連番ではないときには、リンク先に指定されていない番号のタイトルまたはチャプターはその前のリンク先に指定されている番号のタイトルまたはチャプターと１群をなすものとして取り扱うようにしたので、上記のようにリンク先に指定されていない部分についても一連のデータとして確実にランダム再生処理を行うことができる。
【００４３】
また、本発明に係る他のＤＶＤビデオ再生装置は、前記メニュー検出部で検出した画面を表示するようにしたので、この再生装置の利用者は、ランダム再生中に現在再生している曲名等の再生内容を知ることが可能となる。
【図面の簡単な説明】
【図１】本発明の実施例の機能ブロック図であろ。
【図２】同実施例のランダム再生処理の作動フロー図である。
【図３】同実施例のランダム再生処理における特に再生処理を行う部分の作動フロー図である。
【図４】ＤＶＤビデオディスクのデータ構成とメニュー画面で連続しないリンク先が指定されているときに、タイトルあるいはチャプターを１群として扱う態様を示す図である。
【図５】ＤＶＤビデオディスクに記録されている単階層メニューの例を示す図である。
【図６】ＤＶＤビデオディスクに記録されている多階層メニューの例を示す図である。
【符号の説明】
１  ディスク
２  スピンドルモータ
３  光学ピックアップ
４  ＲＦアンプ
５  ＤＶＤ再生信号処理部
６  ＤＶＤデータプロセッサ
１２  システム制御部
１３  通常ランダム再生可否判別部
１４  メニュー画面検出部
１５  メニューリンク先種別判別部
１６  下位階層メニューランダム選択部
１７  タイトル群・チャプター群作成部
１８  ランダム選択部
１９  再生終了判別部
２０  ランダム再生部
【図１】
0003815775.tif 000002
【図２】
0003815775.tif 000003
【図３】
0003815775.tif 000004
【図４】
0003815775.tif 000005
【図５】
0003815775.tif 000006
【図６】
0003815775.tif 000007